(57)【要約】【課題】ブラジャーを着けた者が歩いたときに、体の上下動に伴って自然にバストが揺れるようにする。【解決手段】左右の内カップ１１をカップ連結部１２で連結し、そのカップ連結部１２の両側にバック片１３を連続して設ける。左右の内カップ１１をそれぞれ覆う左右の外カップ２１の上縁とバック片１３とを掛け渡す伸縮可能な肩紐１８を取り付ける。左右の内カップ１１と、左右の外カップ２１の間に弾性シートで形成された連結部１９を設け、その連結部１９により内カップ１１と外カップ２１の各下縁と各内側の側縁を互いに連結する。外カップ２１は、充填材２８を出し入れ可能に収納したポケット２６、２７を有する。肩紐１８を両肩に通し、ブラジャー１０を着けると、左右の外カップ２１、２１が肩紐１８により吊り下げられた状態となる。この状態で歩けば、体の上下動に伴って外カップ２１がその充填材２８の重みで揺れ、バストが自然に揺れるように揺れる。【選択図】図１
2008106381.tif 000002
【特許請求の範囲】
【請求項１】
バストを保持する左右の内カップ(１１)と、その左右の内カップ(１１)をそれぞれ覆う外カップ(２１)を設け、この外カップ(２１)を揺動可能に保持したブラジャー。
【請求項２】
上記左右の内カップ(１１)と、上記左右の外カップ(２１)の間に弾性シートで形成された連結部(１９)を設け、この連結部(１９)により前記内カップ（１１）と前記外カップ(２１)の各下縁と各内側の側縁を互いに連結した請求項１に記載のブラジャー。
【請求項３】
上記左右の内カップ(１１)を連結するカップ連結部(１２)を設けるとともに、このカップ連結部(１２)の両側にバック片(１３)を連続して設け、上記外カップ(２１)を吊り下げる伸縮可能な弾性を有する肩紐(１８)を設け、その肩紐(１８)の一端を前記バック片(１３)に取り付けた請求項１または２に記載のブラジャー。
【請求項４】
上記左右の内カップ(１１)を連結するカップ連結部(１２)を設けるとともに、このカップ連結部(１２)の両側にバック片(１３)を連続して設け、上記外カップ(２１)を吊り下げる伸縮可能な弾性を有する吊り下げ紐(２９)を設け、その吊り下げ紐(２９)の一端を前記内カップ(１１)の上縁に取り付けた請求項１または２に記載のブラジャー。
【請求項５】
上記左右の外カップ(２１)の内側にポケットを設け、このポケットに軟質の充填材(２８)を出し入れ可能に収納した請求項１から４のいずれかに記載のブラジャー。
【請求項６】
上記ポケットを上下に分けて設け、その各ポケット(２６、２７)に軟質の充填材（２８）を出し入れ可能に収納した請求項５に記載のブラジャー。
【発明の詳細な説明】
【技術分野】
【０００１】
この発明は、バストを保持する左右のカップを有するブラジャーに関する。
【背景技術】
【０００２】
従来から、ブラジャーはバストを安定して保持しバストの形状を補整するものとして女性に用いられており、一般に、ブラジャーは、乳房を包むカップにそのカップ形状の不織布等からなるパッドを装着している。このブラジャーの左右のカップは、肌に接するカップ裏布とその外側のカップ表布との間にパッドを挿入し、その周縁部を一体に縫製することによって形成される。
【０００３】
上記のようにパッドを装着したカップを有するブラジャーは、パッドがずれることがなく、女性のバストに良好にフィットして乳房を支えることができる。
【０００４】
一方、バストの形状が美しく整えられ、ボリューム感を高めてバストを大きく見せるという形状保持の機能に優れたブラシャーが求められている。このため、バストの形状保持に優れ、肌ざわりの良い、押されて凹んだときにパッド自体が反発して元の形状に復元する材質、例えば、ウレタン樹脂あるいはシリコン樹脂等の合成樹脂発泡体からなるパッドを左右のカップの内側に入れたブラジャーが知られている。
【０００５】
このブラジャーは、バストおよびパッドを収める左右のカップと、バスト矯正用ワイヤとを有し、バスト矯正用ワイヤの一部に、パッドを着脱可能に係止するパッド係止部を設けたものである（特許文献１  図１参照）。
【０００６】
このブラジャーを着けることにより、パッドがバストに良好にフィットして乳房を支えるとともに、バストの形状が美しく整えられ、ボリューム感を高めてバストを大きく見せることができる。
【特許文献１】特開２００１−２５４２０５号公報
【発明の開示】
【発明が解決しようとする課題】
【０００７】
このブラジャーは、カップ内に入れたパッドをバスト矯正用ワイヤを利用して固定し、そのパッドを入れたカップがバストからずれないように保持しているため、そのブラジャーを着けた者が歩いたときに、体の上下動に伴ってバストがほとんど揺れず、不自然であった。
【０００８】
そこで、ブラジャーを着けた者が歩いたときに、体の上下動に伴って自然にバストが揺れるようにすることを課題とする。
【課題を解決するための手段】
【０００９】
この課題を解決するために、この発明は、バストを保持する左右の内カップと、その左右の内カップをそれぞれ覆う外カップを設け、この外カップを揺動可能に保持する構成を採用したのである。
【００１０】
この構成によると、内カップを覆う外カップが揺動可能に保持されているので、このブラジャーを着けた者が歩いたときに、体の上下動に伴って外カップが自重により揺れてバストが自然に揺れる。
【００１１】
この構成において、上記左右の内カップと、前記左右の外カップとの間に弾性シートで形成された連結部を設け、この連結部により前記内カップと前記外カップの各下縁と各内側の側縁を互いに連結したものを採用することができる。
【００１２】
この構成によると、外カップの揺れに応じて連結部が伸縮するので、外カップの揺れを阻害しない。さらに、外カップが内カップに対してずり上がるのを防止して、左右の外カップをそれぞれ左右の内カップを覆う位置に戻すことができる。
【００１３】
上記外カップを揺動可能に保持する手段としては、上記左右の内カップを連結するカップ連結部を設けるとともに、このカップ連結部の両側にバック片を連続して設け、上記外カップを吊り下げる伸縮可能な弾性を有する肩紐を設け、その肩紐の一端を前記バック片に取り付けたものを採用することができる。
【００１４】
このようにすれば、左右の外カップが肩紐により吊り下げられ、外カップが移動して肩紐が伸びても、肩紐がその弾性力により縮んで外カップを元の位置に戻すので、外カップは揺動可能に保持される。
【００１５】
また、外カップを揺動可能に保持する他の手段としては、上記左右の内カップを連結するカップ連結部を設けるとともに、このカップ連結部の両側にバック片を連続して設け、上記外カップを吊り下げる伸縮可能な弾性を有する吊り下げ紐を設け、その吊り下げ紐の一端を前記内カップの上縁に取り付けたものを採用することができる。
【００１６】
このようにすると、左右の外カップが吊り下げ紐により吊り下げられ、外カップが移動して吊り下げ紐が伸びても、その吊り下げ紐がその弾性力により縮んで外カップを元の位置に戻すので、外カップは揺動可能に保持される。
【００１７】
上記左右の外カップの内側にポケットを設け、このポケットに軟質の充填材を出し入れ可能に収納すれば、外カップのボリューム感が高まり、バストをより大きく見せることができる。
【００１８】
上記ポケットを上下に分けて設け、各ポケットに軟質の充填材を出し入れ可能に収納すれば、その上下のポケットに入れられた充填材により外カップの形状が整えられるので、バストの形状を美しく補整することができる。
【００１９】
ここで、「揺動可能」とは、上下方向の揺動に限られず、左右方向の揺動、前後方向の揺動など任意の方向に揺動可能であることをいう。
【発明の効果】
【００２０】
この発明は、以上のように、このブラジャーを着けた者が歩いたときに、体の上下動に伴って外カップが自重により揺れるので、バストが自然に揺れる。
【発明を実施するための最良の形態】
【００２１】
以下、この発明の実施形態を図１〜図４に示す。この実施形態のブラジャー１０は、図１に示すように、左右の内カップ１１、１１がカップ連結部１２により互いに連結され、このカップ連結部１２の両側にバック片１３が連続して設けられ、左右の内カップ１１、１１をそれぞれ覆う外カップ２１、２１が設けられたものである。
【００２２】
上記左右の内カップ１１、１１は、前側のカップ表布１４と肌側のカップ裏布１５とで、保形性を有する椀状のカップ芯１６を挟み、その周縁部を一体に縫製することによって前方に突き出るように形成され、左右の乳房を包んで保持する。
【００２３】
この左右の内カップ１１、１１の内側の側縁および下縁にカップ連結部１２が縫い付けられ、このカップ連結部１２により両内カップ１１、１１が左右に連結される。このカップ連結部１２は、アンダーバストに当てがわれるとともに、左右の内カップ１１、１１を支える。
【００２４】
上記カップ表布１４及びカップ裏布１５には、織布や編布等の素材が用いられ、カップ芯１６は、不織布や発泡ポリウレタンを熱プレスすることにより椀状に一体成型されたものや、不織布を縫製することによって椀状に形成されたものである。この内カップ１１内の椀状のカップ芯１６により、乳房をしっかりと保持する。
【００２５】
上記カップ連結部１２の左右両端部に、後背側に延びるバック片１３が縫着等により取り付けられ、この両バック片１３のそれぞれの後背側端部に互いに係脱可能のホック１７が取り付けられている。両バック片１３をそれぞれ両脇から背中に回してそのホック１７を互いに留めれば、ブラジャー１０をバスト周りに着けることができる。
【００２６】
上記左右の内カップ１１、１１を覆う外カップ２１、２１は、前側の上カップ表布２２および下カップ表布２３に、後側（内カップ１１側）の上カップ裏布２４および下カップ裏布２５を当てがい、これらの周縁部を一体に縫製することによって前方に突き出た椀状に形成される。
【００２７】
上記上カップ表布２２、下カップ表布２３、上カップ裏布２４および下カップ裏布２５には、織布や編布等の素材が用いられ、左右の外カップ２１が椀状に形成されているので、左右の内カップ１１を覆うことができる。
【００２８】
上記左右の外カップ２１、２１の上カップ裏布２４は、左右に配置された２枚の布片からなり、その２枚の布片の内側を一部重ねた状態で上カップ表布２２の内側にその各布片の周縁部を縫い付ける。縫い付けた上カップ表布２２と上カップ裏布２４とで上ポケット２６が形成され、上カップ裏布２４の２枚の布片のすき間から、後述する充填材２８を出し入れ可能に収納する。
【００２９】
なお、上記上カップ裏布２４を中央に上下方向のスリットを有する１枚の布片とし、この上カップ裏布２４の周縁部を上記上カップ表布２２の内側に縫い付けてもよい。１枚の布片とすれば、上記上カップ表布２２に容易に縫い付けることができるからである。その上カップ裏布２４のスリットは、単なる切り目を含み、前記充填材２８を出し入れでき、抜け出ない形状であればよい。
【００３０】
一方、上記下カップ裏布２５は、上述した上カップ裏布２４の場合と同様に、左右に配置された２枚の布片からなり、その２枚の布片の内側を一部重ねた状態で下カップ表布２３の内側にその各布片の周縁部を縫い付ける。縫い付けた下カップ裏布２５と下カップ表布２３とで下ポケット２７が形成され、下カップ裏布２５の２枚の布片のすき間から、充填材２８を出し入れ可能に収納する。
【００３１】
なお、この下カップ裏布２５も、上述の上カップ裏布２４の場合と同様に、中央に上下方向のスリットを有する１枚の布片とし、この下カップ裏布２５の周縁部を上記下カップ表布２３の内側に縫い付けてもよい。１枚の布片とすれば、下カップ表布２３に容易に縫い付けることができるからである。下カップ裏布２５のスリットは、単なる切り目を含み、充填材２８を出し入れでき、抜け出ない形状であればよい。
【００３２】
上ポケット２６および下ポケット２７は、充填材２８が出し入れ可能に設けられているので、充填材２８を取り出せば、ブラジャー１０を洗濯することが可能となる。
【００３３】
上記上ポケット２６および下ポケット２７に収納される軟質な充填材２８は、袋体の内部に液状の物質、例えばシリコーンオイルを充填したものである。なお、この充填材２８としては、袋体の内部に液状の物質を充填したものに限られず、軟質な材質であればよく、例えば、シリコンゲル、軟質発泡ウレタンなどを適用することが可能である。
【００３４】
ここで、上記充填材２８の重さは、ブラジャー１０を着けた者が歩いたときに、外カップ２１、２１が揺れる重さであればよく、具体的には、一方の外カップ２１に収納される上下２個分で６０〜７０グラムであれば、外カップ２１、２１が自重により揺れる。
【００３５】
上記外カップ２１、２１の内部は、図３に示すように、上ポケット２６と下ポケット２７が上下に分かれて設けられているので、上下ポケット２６、２７のそれぞれに軟質な充填材２８を収納すると、外カップ２１のボリューム感が増すだけでなく、その形状が美しく整えられ、バストの形状を美しく補整することができる。
【００３６】
上記前記左右の外カップ２１、２１は、左右の内カップ１１、１１を覆う状態で、弾性を有するメッシュ状シートからなる連結部１９が設けられる。この連結部１９は、左右の内カップ１１のカップ連結部１２の下縁と左右の外カップ２１、２１の下縁と内側の側縁を互いに連結する。
【００３７】
この連結部１９は弾性を有するため、左右の外カップ２１、２１の揺れに応じて伸縮し、外カップ２１の揺れを阻害せず、自由な揺れを確保することができる。また、外カップ２１の揺れにより、外カップ２１が内カップ１１に対してずり上がるのを防止して、左右の外カップ２１、２１を、内カップ１１、１１を覆う位置に戻す。さらに、メッシュ状であるので、通気性が良く蒸れにくい。
【００３８】
上記左右の外カップ２１、２１の上縁には、その外カップ２１を吊り下げる伸縮可能な弾性を有する肩紐１８が取り付けられ、その肩紐１８の一端が上記バック片１３に取り付けられている。この肩紐１８は、その長さを調節する係止具２０を有し、ブラジャー１０を着ける者の体格に応じて、肩紐１８の長さを調節することができる。
【００３９】
上記肩紐１８が、上記外カップ２１とバック片１３を掛け渡されているので、この肩紐１８を両肩に掛けてブラジャー１０を着けると、左右の外カップ２１、２１が肩紐１８によって吊り下げられる。このとき、外カップが移動して肩紐１８が伸びても、肩紐１８がその弾性力により縮んで外カップ２１を元の位置に戻すので、外カップ２１は揺動可能に保持されることとなる。
【００４０】
以下、この実施形態のブラジャー１０の作用を説明する。
まず、肩紐１８を両肩に通し、左右の乳房をそれぞれ左右の内カップ１１で包むとともに、バック片１３、１３の背中側のホック１７を留めて、ブラジャー１０を着ける。
【００４１】
このブラジャー１０を着けると、図３に示すように、左右の外カップ２１、２１が肩紐１８により吊り下げられた状態となる。この状態で、ブラジャー１０を着けた者が歩くと、体の上下動に伴って、外カップ２１がその充填材２８の重みで移動する。このとき、肩紐１８は伸びるが、その弾性力により縮んで外カップ２１を元の位置に戻す。このため、図４に示すように、外カップ２１、２１が揺れて、大きく見えるバストが自然に揺れる。
【００４２】
次に、この発明の他の実施形態を図５に示す。この場合の実施形態は、同図に示すように、肩紐１８の代わりに伸縮可能な弾性を有する吊り下げ紐２９を内カップ１１の上縁と外カップ２１の上縁の間に設けた点、内カップ１１の上縁に肩に掛けて内カップ１１を支える肩ストラップ３０を設け、このストラップ３０の一端部をバック片１３に取り付けた点で、上述した実施形態の場合（図１  参照）と相違し、その他の構成は上述した実施形態と同様である。
【００４３】
この実施形態においても、左右の外カップ２１が上記吊り下げ紐２９により吊り下げられるので、外カップ２１、２１が吊り下げ紐２９により揺動可能に保持され、このブラジャー１０を着けた者が歩いたときに体の上下動に伴って、左右の外カップ２１が自重により自然に揺れる。
【図面の簡単な説明】
【００４４】
【図１】実施形態のブラジャーを示す斜視図
【図２】同上の内カップと外カップとを開いた状態を示す斜視図
【図３】同上の使用状態を示す断面図
【図４】同上の外カップの揺動状態を示す一部切り欠き斜視図
【図５】他の実施形態のブラジャーを示す斜視図
【符号の説明】
【００４５】
１０  ブラジャー
１１  内カップ
１２  カップ連結部
１３  バック片
１４  カップ表布
１５  カップ裏布
１６  カップ芯
１７  ホック
１８  肩紐
１９  連結部
２０  係止具
２１  外カップ
２２  上カップ表布
２３  下カップ表布
２４  上カップ裏布
２５  下カップ裏布
２６  上ポケット
２７  下ポケット
２８  充填材
２９  吊り下げ紐
３０  ストラップ
【図１】
2008106381.tif 000003
【図２】
2008106381.tif 000004
【図３】
2008106381.tif 000005
【図４】
2008106381.tif 000006
【図５】
2008106381.tif 000007